(57)【要約】      （修正有）【課題】ストローを使用しないときにカップ内に完全に収容することができる自動ストローを備えた飲料カップを提供する。【解決手段】自動ストローを備えた飲料カップは、カップ、蓋体２及びストロー３を備える。カップの外容器１１内には、内容器１２が連結固定され、外容器と内容器との間を真空排気する。外容器と内容器との間にはバリア層が形成され、内容器の温度が外方に伝わることを防ぐ。蓋体は、カップ上を覆うとともに、内容器のガイド斜面１２１の上端に対応した一側に開口部２２を有する。蓋体の上端面には、開口部に隣り合うように収納槽２３が凹設される。収納槽には、フリップ式カバー２４が可動可能に枢着される。フリップ式カバーには、開口部に対応した栓凸部２４２が突設される。ストローは、栓凸部に連結固定された連結部材３１に連結され、不使用時は内容器内に完全に収容される。【選択図】図３
0003219770.tif 000002
【実用新案登録請求の範囲】
【請求項１】
カップ、蓋体及びストローを備えた自動ストローを備えた飲料カップであって、
前記カップの外容器内には、内容器が連結固定され、前記外容器と前記内容器との間を真空排気し、前記外容器と前記内容器との間にはバリア層が形成され、前記バリア層は、前記内容器の温度が外方に伝わることを防ぎ、前記内容器の内側底部には、ガイド斜面が設けられ、
前記蓋体は、前記カップ上を覆うとともに、前記内容器の前記ガイド斜面の上端に対応した一側に開口部を有し、前記蓋体の上端面には、前記開口部に隣り合うように収納槽が凹設され、前記収納槽には、フリップ式カバーが可動可能に枢着され、前記フリップ式カバーには、前記開口部に対応した栓凸部が突設され、前記栓凸部の底端には、結合部が設けられ、
前記ストローは、前記カップの前記内容器内に完全に収容され、前記ストローには、対応するように連結部材が配設され、前記連結部材の一端には、前記ストローの上端が嵌挿される嵌合孔が形成され、前記連結部材の他端には、前記蓋体の前記結合部に対応するように結合孔が形成され、前記連結部材は、前記結合孔を介して前記フリップ式カバーの前記結合部に連結固定されることを特徴とする、
自動ストローを備えた飲料カップ。
【請求項２】
前記蓋体の前記収納槽内には、嵌挿凹部が凹設され、前記フリップ式カバーには、前記嵌挿凹部に対応するように嵌挿位置決めする嵌挿凸部が設けられていることを特徴とする請求項１に記載の自動ストローを備えた飲料カップ。
【請求項３】
前記栓凸部の外縁には、栓パッキンが嵌設されていることを特徴とする請求項１に記載の自動ストローを備えた飲料カップ。
【考案の詳細な説明】
【技術分野】
【０００１】
本考案は、自動ストローを備えた飲料カップであって、特に、カップ内にストローが配設され、ストローを使用しないときにカップ内に完全に収容することができ、蓋体を引き起こして開くとストローが外方に突出されてユーザはカップに入れられた飲み物をストローで吸うことができるため、使用し易く、利用効率が高い自動ストローを備えた飲料カップに関する。
【背景技術】
【０００２】
様々な飲み物が次々と現れる現代社会では、様々な飲み物を販売する店が至る所に現れ、消費者は各種飲み物を店で購入したり持ち帰ったりする光景が良く見られる。環境保護に対する意識が高まり、夏の暑い季節に渇きをいやすことができる冷たい飲み物や冬の寒い季節に体が温まる温かい飲み物を何時でも飲むことができるように、多くの人々は様々な飲み物が入った各種保温カップを使用する。これによって、容器に入った飲み物を一定温度に保ち、飲み物の温度が急速に下がるか上がることを防ぐことができる。
【０００３】
一般に、消費者が携帯して使用するリユースカップ又は保温カップには様々な種類があり、カップの瓶口径又は容量であっても、店にあるコーヒー抽出器に対応しない物がある。このため、店側にとって不便である上、このようなリユースカップ又は保温カップにはストローが備えられていなかったため、カップ内の飲み物をストローで吸う場合、自らストローを挿入する必要があり、使い難くかった。また、ストローの長さが保温カップに適合しないことが多く、飲用しないときにストローを保温カップ内に収容することができず、使い難かった。
【考案の概要】
【考案が解決しようとする課題】
【０００４】
本考案の目的は、カップ内にストローが配設され、ストローを使用しないときにカップ内に完全に収容することができ、カップ上端の蓋体を引き起こして開くとストローが外方に突出されてユーザはカップ内に入れられた飲み物をストローで吸うことができるため、使用し易く、利用効率が高い自動ストローを備えた飲料カップを提供することにある。
【図面の簡単な説明】
【０００５】
【図１】本考案の一実施形態に係る自動ストローを備えた飲料カップを示す分解斜視図である。
【図２】本考案の一実施形態に係る自動ストローを備えた飲料カップを示す斜視図である。
【図３】本考案の一実施形態に係る自動ストローを備えた飲料カップを示す組立断面図である。
【図４】本考案の一実施形態に係る自動ストローを備えた飲料カップのフリップ式カバーを引き起こして開いた状態を示す斜視図である。
【図５】本考案の一実施形態に係る自動ストローを備えた飲料カップのフリップ式カバーを引き起こして開いた状態を示す断面図である。
【考案を実施するための形態】
【０００６】
本考案の技術手段、目的及びそれにより達成可能な効果を、より完全かつ明白に開示するために、開示した添付の図面及び符号と併せて本考案を以下詳説する。
【０００７】
まず、図１、図２及び図３を参照する。図１は、本考案の一実施形態に係る自動ストローを備えた飲料カップを示す分解斜視図である。図２は、本考案の一実施形態に係る自動ストローを備えた飲料カップを示す斜視図である。図３は、本考案の一実施形態に係る自動ストローを備えた飲料カップを示す組立断面図である。図１〜図３に示すように、本考案の一実施形態に係る自動ストローを備えた飲料カップは、少なくともカップ１、蓋体２及びストロー３から構成されてなる。
【０００８】
カップ１の外容器１１内には、内容器１２が連結固定される。外容器１１底部には、台座１１１が配設され、外容器１１と内容器１２との間を真空排気し、外容器１１と内容器１２との間にはバリア層１３が形成されている。バリア層１３は、内容器１２の温度が外方に伝わることを防ぎ、内容器１２の内側底部には、ガイド斜面１２１が設けられる。
【０００９】
蓋体２は、カップ１上を覆う。カップ１と蓋体２との間には、防漏パッキン２１が配設されている。蓋体２は、内容器１２のガイド斜面１２１の上端に対応した一側に開口部２２が形成されている。蓋体２の上端面には、開口部２２に隣り合うように収納槽２３が凹設されている。
収納槽２３内には、嵌挿凹部２３１が凹設されている。収納槽２３には、フリップ式カバー２４が可動可能に枢着される。フリップ式カバー２４には、嵌挿凹部２３１に対応するように嵌挿凸部２４１が設けられている。フリップ式カバー２４には、開口部２２に対応した栓凸部２４２が突設される。栓凸部２４２の底端には、結合部２４３が設けられている。栓凸部２４２の外縁には、栓パッキン２４４が嵌設される。
【００１０】
ストロー３は、カップ１の内容器１２内に完全に収容することができるとともに、対応するように連結部材３１が配設される。連結部材３１は、シリコーンゲルからなる。連結部材３１の一端には、ストロー３の上端が嵌挿される嵌合孔３１１が形成され、連結部材３１の他端には、蓋体２の結合部２４３に対応するように結合孔３１２が形成される。連結部材３１は、結合孔３１２を介してフリップ式カバー２４の結合部２４３に連結固定される。
【００１１】
従って、蓋体２上のフリップ式カバー２４を閉じると、フリップ式カバー２４によりストロー３がカップ１の内容器１２内に押し入れられ、ストロー３の底端が内容器１２のガイド斜面１２１下に位置すると、蓋体２の開口部２２上がフリップ式カバー２４により覆われ、フリップ式カバー２４の栓凸部２４２により開口部２２が閉止されると、栓凸部２４２の外縁に嵌設された栓パッキン２４４により開口部２２が密封され、カップ１内の飲み物が開口部２２から流出することを防ぐことができる。
【００１２】
図４及び図５を参照する。図４は、本考案の一実施形態に係る自動ストローを備えた飲料カップのフリップ式カバーを引き起こして開いた状態を示す斜視図である。図５は、本考案の一実施形態に係る自動ストローを備えた飲料カップのフリップ式カバーを引き起こして開いた状態を示す断面図である。
図４及び図５を併せて参照すると分かるように、蓋体２のフリップ式カバー２４を引き起こすと、フリップ式カバー２４に設けられた栓凸部２４２が開口部２２から離れ、連結部材３１が結合孔３１２を介してフリップ式カバー２４の栓凸部２４２の底端の結合部２４３に連結固定されているため、フリップ式カバー２４が引き起こされて連結部材３１が引っ張られる。すると、連結部材３１によりストロー３も引っ張られ、ストロー３の底端がガイド斜面１２１に沿って上方へ移動し、フリップ式カバー２４が完全に引き起こされて収納槽２３内に収容され、フリップ式カバー２４の嵌挿凸部２４１が収納槽２３内の嵌挿凹部２３１に嵌挿されて連結固定されると、ストロー３が連結部材３１により底端へ引っ張られて内容器１２のガイド斜面１２１の上方へ移動し、ストロー３の上端が開口部２２を介して外方に突出される。これにより、ユーザはストロー３によりカップ１の内容器１２内に入れられた飲み物を吸うことができる。
内容器１２の内側底部には、ガイド斜面１２１が設けられ、内容器１２内の飲み物の水位が、ガイド斜面１２１の上部より低くなったときに、ガイド斜面１２１の上部側へカップ１を傾けると、内容器１２内の飲み物がガイド斜面１２１に沿って流動するため、ユーザはストロー３により飲み物を容易に吸うことができる。
【００１３】
上述したことから分かるように、本考案の自動ストローを備えた飲料カップは、従来の飲料カップと比べ、飲み物を直接入れることができる上、外容器と内容器との間に形成したバリア層により内容器内の飲み物の温度が外部に伝わることを防いで保温効果を得ることができる。また、カップ内にストローを配設し、ストローを使用しないときにカップ内に完全に収容することができ、カップ上端の蓋体を引き起こして開くとストローが外方に突出され、ユーザはカップ内に入れられた飲み物をストローで吸うことができるため使用し易い上、ストロー及び内容器を容易に洗浄することができるため、利用効率が高い。
【符号の説明】
【００１４】
１      カップ
２      蓋体
３      ストロー
１１    外容器
１２    内容器
１３    バリア層
２１    防漏パッキン
２２    開口部
２３    収納槽
２４    蓋体
３１    連結部材
１１１  台座
１２１  ガイド斜面
２３１  嵌挿凹部
２４１  嵌挿凸部
２４２  栓凸部
２４３  結合部
２４４  栓パッキン
３１１  嵌合孔
３１２  結合孔
【図１】
0003219770.tif 000003
【図２】
0003219770.tif 000004
【図３】
0003219770.tif 000005
【図４】
0003219770.tif 000006
【図５】
0003219770.tif 000007